(57)【要約】【課題】コンブ等の育成すべき藻体に対し傷を付けることなく、ウニ等の住処にもなり難く、かつ、砂地に設置しても埋没し難い藻礁を提供する。【解決手段】この藻礁１は、中央部に貫通孔４を有するドーナツ形状のコンクリートブロック製礁体２を有し、その礁体２の底面側には、その外周面側から貫通孔４側へ海水を通す海水通し部３が複数設けられている。礁体２がドーナツ形状であるため、育成すべき藻体に対し傷を付けることを極力低減でき、またその表面は曲面をなしており凸凹がないので、ウニ等がその表面を這い上がり難く、ウニ等による藻体の食害を防止できる。また、礁体２の底面には海水通し部２が設けられているので、礁体２の外周面に海水が当っても海水通し部３を通って礁体２中央の貫通孔４から海水が排出されるため、洗掘現象を極力抑えることが可能となり、砂地に設置しても埋没することを極力防止できる。【選択図】図２
2013106593.tif 000002
【特許請求の範囲】
【請求項１】
中央部に貫通孔を有するドーナツ形状のコンクリートブロック製礁体からなり、そのコンクリートブロック製礁体の底面にはその外周面側から貫通孔側へ海水を通す海水通し部が設けられていることを特徴とする藻礁。
【請求項２】
請求項１記載の藻礁において、前記海水通し部は、コンクリートブロック製礁体の底面の一部を、その中心に向かって放射状に欠落させることにより設けられることを特徴とする藻礁。
【請求項３】
請求項１記載の藻礁において、前記コンクリートブロック製礁体の底面にそのコンクリートブロック製礁体を支える複数の脚部が設けられており、前記海水通し部は、その複数の脚部間の空間により設けられることを特徴とする藻礁。
【発明の詳細な説明】
【技術分野】
【０００１】
本発明は、海藻類を生育する藻礁に関し、特に、コンブ類の生育に適した藻礁に関する。
【背景技術】
【０００２】
コンブ類の養殖は、海中の所定水深において、アンカーとフロートを用いて水平状態に張設した長尺のロープ（親綱または幹綱と称している。）による方法が一般的である。このような養殖海域では、海中に展開されているそれら部材が漁網の投入などを阻害するため、漁場として利用することはできない。そこで、海中を有効利用するため、各種形状のコンクリートブロックからなる藻礁を海底に投入することが行われている（例えば、特許文献１〜３参照。）。
【先行技術文献】
【特許文献】
【０００３】
【特許文献１】実公平５−２４２７７号公報
【特許文献２】特許第２６８２９７６号公報
【特許文献３】特開平１１−２８５３３０号公報
【発明の概要】
【発明が解決しようとする課題】
【０００４】
しかし、特許文献１に記載の藻礁は、平板状の天盤上面をコンブの着生床とするため、成長したコンブが海中で下方に垂れやすいことから、天盤の角部でコンブ等の藻体が傷付きやすく、これを回収しても商品価値の低下が避けられないという問題がある。
【０００５】
また、特許文献２に記載の藻礁は、シェル型コンクリートブロックからなり、脚部を有する形状であるため、海水を横方向に逃がす構造になっているものの、上部に海水が抜ける構造になっていないため、砂地に設置した場合、いわゆる洗掘現象により脚部周辺の砂が流されてしまい、埋没し易いという問題がある。また、キノコ型の礁体の表面に自然石を貼り付けたものであるから、ウニ等の住処となって藻体が食害を受けやすいという問題もある。
【０００６】
また、特許文献３に記載の藻礁は、カマボコ型のコンクリートブロックからなるため、砂地では洗掘現象により埋没しやすいという問題がある。
【０００７】
そこで、本発明は、育成すべき藻体に対し傷を付けることなく、ウニ等の住処にもなり難く、かつ、砂地に設置しても埋没し難い藻礁を提供することを目的とする。
【課題を解決するための手段】
【０００８】
上記目的を達成するため、請求項１に記載の発明の藻礁は、中央部に貫通孔を有するドーナツ形状のコンクリートブロック製礁体からなり、そのコンクリートブロック製礁体の底面には、その外周面側から貫通孔側へ海水を通す海水通し部が設けられていることを特徴とする。コンクリートブロック製礁体がドーナツ形状からなり、礁体表面に角部が存在しないので、育成すべき藻体の葉部が礁体表面に接触した場合でも傷が付き難い。また、その礁体の表面は曲面をなしており凸凹がないので、ウニ等が礁体の表面を這い上がり難く、藻体の食害を防止できる。また、礁体の底面には海水通し部が設けられているので、礁体の外周面に海水が当っても海水通し部を通って礁体中央の貫通孔から海水が排出される。そのため、いわゆる洗掘現象を効果的に抑制し、砂地に設置しても埋没しにくい。さらに、礁体表面に海水の流れが生じ易く、このような場所をウニが嫌うことから、この点でもウニ等の藻食性動物による藻体の食害を防止できる。
また、請求項２に記載の発明の藻礁は、請求項１記載の藻礁において、前記海水通し部は、コンクリートブロック製礁体の底面の一部を、その中心に向かって放射状に欠落させることにより設けられることを特徴とする。これにより、コンクリートブロック製礁体に対し、海水通し部を簡単に複数設けることができる。
また、請求項３に記載の発明の藻礁では、請求項１記載の藻礁において、前記コンクリートブロック製礁体の底面にそのコンクリートブロック製礁体を支える複数の脚部が設けられており、前記海水通し部は、その複数の脚部間の空間により設けられることを特徴とする。これにより、コンクリートブロック製礁体に対し、より大きな海水通し部を簡単に複数設けることができる。
【発明の効果】
【０００９】
本発明の藻礁は、中央部に貫通孔を有するドーナツ形状のコンクリートブロック製礁体からなるため、育成すべきコンブ等の藻体に対し傷を付けることを極力低減でき、商品価値の高い藻体を収穫できると共に、ウニ等が礁体の表面を這い上がり難く、ウニ等による藻体の食害を防止できる。また、コンクリートブロック製礁体の底面には、その外周面側から貫通孔側へ海水を通す海水通し部が設けられているので、礁体の外周面に海水が当っても海水通し部を通って礁体中央の貫通孔から海水を排出して洗掘現象を抑制することが可能となり、砂地に設置した場合でも埋没することを極力防止できる共に、礁体表面に海水の流れが生じ易く、このような場所をウニが嫌うことからこの点でもウニ等による藻体の食害を防止できる。また、藻礁自身が単純な形状であり、藻礁の型枠も単純な形状になるので、製造コストを低減できる。
【図面の簡単な説明】
【００１０】
【図１】本発明に係る実施形態１の藻礁の平面図である。
【図２】コンブ育成状態の実施形態１の藻礁の側面図である。
【図３】図１に示す実施形態１の藻礁のＡ−Ａ線断面図である。
【図４】海水通し部の変形例を示す部分断面図である。
【図５】本発明に係る実施形態２の藻礁の側面図である。
【図６】図５に示す藻礁の底面図である。
【発明を実施するための形態】
【００１１】
実施形態１．
図１は、本発明に係る実施形態１の藻礁１の平面図、図２は、図１に示す藻礁１の側面図で、コンブ５を育成している状態を示す図、図３は、図１に示す藻礁１のＡ−Ａ線断面図である。図１〜図３に示すように、藻礁１は、中央部に貫通孔４を有するドーナツ形状のコンクリートブロック製礁体（以下、単に礁体と略す。）２からなり、その礁体２の底面にはその外周面側から貫通孔４側へ貫通する断面半円形状の海水通し部３が所定の間隔で放射状に８箇所設けられている。そのため、この藻礁１に当る海水の流れは、図２に示すように礁体２の外周面に形成された海水通し部３から入って中央の貫通孔４から上方へ通過する。これにより、藻礁１の外周面における海水による洗掘現象が阻止され、藻礁１を砂地に設置した場合でも埋没し難くなり、長期に亘り安定した設置が可能になる。また、この藻礁１は、ドーナツ形状の礁体２からなり、海水通し部３は、礁体２の底面の一部をその中心の貫通孔４に向かって放射状に欠落させることにより設けられるため、藻礁１自身が単純な形状になり、その型枠も単純な形状になり、また型抜き作業も容易になることから、製造コストを低減できる。
【００１２】
また、礁体２はドーナツ形状であり、図２に示すようにその表面が曲面状となっているので、礁体２上で成長したコンブ５が垂れ下がり、葉状部が礁体２の表面に接触しても藻体５の表面に傷が付き難く、商品価値の高いコンブ５を収穫できる。
【００１３】
また、礁体２はドーナツ形状であり、その表面が曲面状となっており、凹凸も存在しないので、ウニ等が礁体２の表面に登りにくく、ウニ等によるコンブ５の食害を防止することができる。特に、この藻礁１では、礁体２がドーナツ形状でその表面が曲面形状で凸凹もなく、複数の海水通し部３と貫通孔４とにより礁体２の表面やその付近に海水の流れが生じ易く、このような場所をウニが嫌うことからも、この点でもウニ等による藻体の食害防止に効果的である。
【００１４】
なお、この実施形態１では、礁体２の底面に外周面から中央の貫通孔４に向かって水平方向に断面半円形状の海水通し部３を設けて説明したが、その断面形状は、半円形状に限定されず、断面４角形状でも、断面円形状でも良いし、その数も、８箇所に限定されず、４箇所でも、６箇所でも、また８箇所より多くても勿論よい。また、海水通し部３は、礁体２の外周面から中央の貫通孔４に向かって水平方向に設けているが、図４に示すように礁体２の外周面から中央の貫通孔４に向かって上方向に向いた海水通し部３を設けるようにしても良い。このように外周面から貫通孔４に向かうに従い上向きの海水通し部３を設けると、海水通し部３から入った海水が海水通し部３の上部から抜け易くなるので、海水通し部３を水平に設ける場合よりも藻礁１の下部における洗掘現象をさらに低減でき、砂地における藻礁１の埋没をより防止できる。
【００１５】
実施形態２．
図５は、実施形態２の藻礁１’の正面図、図６は、その底面図である。実施形態２の藻礁１’は、ドーナツ形状に形成されたコンクリートブロック製礁体２’の底面に、複数（ここでは、便宜上３本とする。）の断面円形状の脚部６を一体に設けたものである。つまり、実施形態１の藻礁１では、礁体２の底面の一部をその中心に向かって放射状に欠落させることにより海水通し部３を設けたが、実施形態２の藻礁１’では、礁体２’の底面に円柱状の複数の脚部６を設けることにより、礁体２’と海底との間に空間を形成し、その空間を海水通し部としたものである。そのため、実施形態２の藻礁１’の場合、海水の流れは、脚部６間を通って礁体２’中央の貫通孔１３から上方に通過する。その結果、実施形態２の藻礁１’でも、実施形態１の藻礁１と同様の効果が得られる。すなわち、藻礁１’を砂地に設置した場合でも埋没し難くなり、長期に亘り安定した設置が可能になる。また、藻礁１’自身が単純な形状になり、藻礁１’の型枠も単純な形状になるので、製造コストを低減できる。さらに、商品価値の高いコンブ５を収穫できると共に、ウニ等が礁体２’の表面に登りにくく、ウニによるコンブ５の食害を防止することができる。
【００１６】
なお、上記実施形態１，２では、コンブ５を育成対象の藻体として説明したが、これは一例であり、コンブ５以外の藻体を育成対象としても勿論良い。
【符号の説明】
【００１７】
１，１’…藻礁、２，２’…コンクリートブロック製礁体、３…海水通し部、４…貫通孔、５…コンブ、６…脚部。
【図１】
2013106593.tif 000003
【図２】
2013106593.tif 000004
【図３】
2013106593.tif 000005
【図４】
2013106593.tif 000006
【図５】
2013106593.tif 000007
【図６】
2013106593.tif 000008